(57)【要約】【課題】  全長の長い複写機／印刷機において、末端で起きたジャムなどを解除する場合、画面と操作箇所が離れているため、画面を確認しながらジャム解除を行うことが難しいため、取り外し可能な操作部とＩＣタグにより、操作部が移動した位置により連動して画面を変えて表示することにより、操作性を向上させる。【解決手段】  取り外し可能な操作部、操作部の位置を把握するために、必要個所に設置された位置情報受信装置と、位置情報受信装置より位置情報を受け取り操作部の位置を判断するための判断手段と、操作部位置に応じた情報を操作部装置に表示するための表示手段と、機器の手動操作の状況を判断するための処理装置と、操作部位置情報を判断しそれに応じた表示処理を行う表示手段と、手動操作の状況を判断するための判断手段とを持つことを特徴とする印刷処理装置。【選択図】        図１
2006231675.tif 000002
【特許請求の範囲】
【請求項１】
本体に位置を特定させるための発信機が内蔵され、無線伝送手段または動作中に位置を変更することが可能な有線伝送手段により本体と情報通信を行うことができる操作部と、
本体側に設けられ前記操作部の位置を特定するために、必要個所に設置された前記発信機からの信号を受信する受信機と、
前記受信機が受信した信号により前記操作部の位置を判断する手段と、
前記判断手段で判断された前記操作部の位置に応じた情報を前記操作部に表示させる手段と、
本体の状況を判断するための手段と、
本体の状況と操作部の位置を判断しそれに応じて前記操作部に表示させるべき表示内容を変更する手段と、
を有することを特徴とする印刷処理装置。
【請求項２】
請求項１に記載の印刷処理装置において、本体の状況が印刷処理装置の各個所で前記操作部の操作以外による手動の操作を行わなければいけないと判断した時に、その位置への移動を促す指示を操作部に表示することを特徴とする印刷処理装置。
【請求項３】
請求項２に記載の印刷処理装置において、前記操作部の操作以外による手動の操作とは、印刷処理装置における印刷実行の際の、用紙なし、用紙の搬送経路のつまり、屑廃棄、トナー切れ、針切れ、出力トレイの搭載可能量オーバーなどに対する回復のための操作であることを特徴とする印刷処理装置。
【請求項４】
請求項２に記載の印刷処理装置において、移動を促すの指示表示が行われ、操作部を指示に従って移動させた際に、操作部に内蔵された発信機による操作部からの信号を本体の必要個所に設置された受信機で検知し指示の個所まで操作部が移動したことを判断し、次に行うべき動作を操作部に表示することを特徴とする印刷処理装置。
【請求項５】
請求項１に記載の印刷処理装置において、本体の状況の変化に応じ、逐次、次の処理を操作部に自動的に表示することを特徴とした印刷処理装置。
【請求項６】
請求項１に記載の印刷処理装置において、指示された個所での操作が終了した時点で、本体の状況を判断し、まだ手動操作の作業が必要かどうか判断を行い、次の個所に移動させるべきか、元の場所において操作を続けるべきかの判断を行う手段を有することを特徴とした印刷処理装置。
【請求項７】
請求項１に記載の印刷処理装置において、操作部の位置を決定するための、発信機とは操作部を特定するための情報を含むＩＣタグであり、受信機とはそれを認識するためのアンテナを含むことを特徴とする印刷処理装置。
【請求項８】
請求項５に記載の印刷処理装置において、本体の状況の変化はドアやレバーなどのＯＰＥＮなどを検知するセンサ、用紙の搬送経路における用紙有り無しを検知するセンサ、トナー量を監視するセンサ、用紙残量などを監視するセンサなどの情報に基づき判断されることを特徴とした印刷処理装置。
【請求項９】
請求項２に記載の印刷処理装置において、移動の指示、操作者の移動を伴う本体の異常状態からの回復を一連のガイダンスとして表示することを特徴とする印刷処理装置。
【発明の詳細な説明】
【技術分野】
【０００１】
本発明は、移動可能な操作部を有する印刷処理装置に関するものである。
【背景技術】
【０００２】
現状、印刷処理機能の複雑化に伴い、印刷処理装置が大きくなりがちである。このような大型の印刷処理装置において、通常の操作を行うには操作部の表示部分に表示された情報を元に、操作部の入力部を使用して情報を入力して機器の操作を行うという方法が使用されている。
【０００３】
ただ、紙つまり処理や針交換などの手動操作が発生する作業に関しても、操作部は、その場所の表示と作業内容を指示するだけの表示を行うことしかできなかった（例えば、特許文献１参照）。
【特許文献１】特開平１０−１０７９４０号公報
【発明の開示】
【発明が解決しようとする課題】
【０００４】
このように操作部の手動操作ガイダンスに表示される順番にしたがって手動で操作を行わなければいけない場合、操作部の画面と、実際の手動操作をおこなうための個所が離れているため、処理内容を画面で確認して、手動操作する場所まで移動して操作を行うため、頻繁に場所の移動を繰り返して処理を行わなければいけなかった。
【０００５】
本発明は、以上の点に着目して成されたもので、処理を行う場所まで操作部を移動させることにより画面を見ながらの処理が楽に行うことができる印刷処理装置を提供することを目的とする。
【課題を解決するための手段】
【０００６】
上述した課題を解決するために、請求項１に記載の発明は、
本体に位置を特定させるための発信機が内蔵され、無線伝送手段または動作中に位置を変更することが可能な有線伝送手段により本体と情報通信を行うことができる操作部と、
本体側に設けられ前記操作部の位置を特定するために、必要個所に設置された前記発信機からの信号を受信する受信機と、
前記受信機が受信した信号により前記操作部の位置を判断する手段と、
前記判断手段で判断された前記操作部の位置に応じた情報を前記操作部に表示させる手段と、
本体の状況を判断するための手段と、
本体の状況と操作部の位置を判断しそれに応じて前記操作部に表示させるべき表示内容を変更する手段と、
を有することを特徴とする。
【発明の効果】
【０００７】
本発明により、印刷処理装置において操作部の操作以外に手動で処理を行わなければいけない処理（トナー交換、屑廃棄、紙詰まり復帰処理、紙なし補給処理、手差し用紙設定処理等）において、画面の操作ガイダンスを見ながら処理を行う際、操作部を処理を行う場所まで移動させることにより画面を見ながらの処理が楽に行うことができる。
【発明を実施するための最良の形態】
【０００８】
以下、本発明を実施するための最良の形態について、図面を参照して説明する。
【実施例】
【０００９】
図１は、本発明の実施形態として印刷処理装置に適用したときの装置の外観を示した図である。
【００１０】
この印刷処理装置は、１００４からなる用紙搬送印刷ユニットと１００７からなるスキャナ部分、１００５からなる用紙排紙フィニッシャユニット、１００１からなる画面操作部ユニット、および１００３からなる用紙カセットユニット、１００２からなる大容量用紙デッキ、からなる。
【００１１】
１００１の画面操作部ユニットは１００６の有線または無線の情報伝達装置で本体と接続されており、印刷処理装置のあらゆる箇所に移動させても、その近傍であれば情報伝達を行うことができ、本体に操作部入力装置の情報を伝達したり、本体から情報を操作部に表示を行ったりすることができる。
【００１２】
印刷を実行した際は、１００２の大容量用紙デッキまたは１００３からなる用紙カセットユニットより用紙が供給され１００４からなる用紙搬送印刷ユニットで印刷が行われ、１００５からなる用紙排紙フィニッシャに出力が行われる。
【００１３】
１００１の操作部端末には２００１からなる操作部位置情報発信ユニットが内蔵されている。これは操作部ユニット１００６を特定する情報を発信する。１００２の大容量用紙デッキには２００２の、１００３の用紙カセットユニットには２００３の、１００４の用紙搬送印刷ユニットには２００５の、１００５の用紙排紙ユニットには２００６の操作部位置情報受信ユニットが内蔵されており、操作部２００１の操作部情報発信ユニットの位置情報を受信することができる。これは複数箇所に設けてどのユニットが最も強度の大きい信号を受信したかによって操作部ユニット１００６の位置を特定する。
【００１４】
図２は、印刷処理装置の主要部の構成を示すブロック図である。
【００１５】
印刷処理装置はコントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた画像データをプリンタ２０９５により印刷出力するコピー機能を実現するための制御を行うとともに、ＬＡＮ１００６や公衆回線１００８（ＷＡＮ）に接続することによって、画像情報やデバイス情報の入出力を行うための制御を行う。
【００１６】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上で、ＨＤＤ（ハードディスクドライブ）２００４に格納されているアプリケーションプログラムを実行し、これによって各種処理を実行する。このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００１７】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージバスインタフェース）２００５が接続される。
【００１８】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザにより入力された情報をＣＰＵ２００１に送出する。
【００１９】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線１００８に接続され、公衆回線１００８を介して情報の入出力を行う。
【００２０】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００２１】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。プリンタ画像処理部２０９０は、プリント出力画像データに対してプリンタ２０９５に応じた補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００２２】
次に、プリンタ２０９５のセンサ構成について図３のプリンタ部のブロック図を参照して説明する。
【００２３】
プリンタ２０９５には紙供給ユニット３００６、大容量紙供給デッキ３００７，用紙搬送ユニット３００５、排紙フィニッシャユニット３００４がある。それぞれのユニットには操作部の位置情報発信装置の情報を受け取ることのできる操作部位置情報センサが内蔵されている（３００９，３０１１，３０１３，３０１５）。このセンサはどの位置のセンサでも操作部情報発信装置の情報を受け取ることができるが、それぞれのセンサで取得した情報は位置情報判断ユニット３００３に送られ、各センサの情報量の内容が判断され、どのセンサに一番、操作部情報発信装置が近いかを判断することができる。
【００２４】
また、それぞれのユニットには、そのユニットに対するセンサが装備されており、ドアオープン、用紙つまり、紙なしなどの情報を取得することができる（３００８，３０１０，３０１２，３０１４）。それぞれ取得した情報は３００２のセンサ情報判断ユニットに送られ、そこでプリンタ各部分のセンサーエラー情報などをまとめて管理処理を行うことができる。
【００２５】
図４は、図２に示す操作部２０１２の構成を示す平面図である。
【００２６】
ＬＣＤ表示部２１６は、ＬＣＤ上にタッチパネルシートが貼られた構造となっており、複写機１００１の操作画面を表示するとともに、該画面に表示されたキーが押されるとその位置情報をコントローラユニット２０００のＣＰＵ２００１に伝える。スタートキー２１５は、原稿画像の読み取り動作を開始する時などに用いられる。スタートキー２１４の中央部には、緑と赤の２色ＬＥＤ２０１８が設けられ、その色によってスタートキー２１４が使える状態にあるか否かを示す。ストップキー２１３は、稼働中の動作を止めるときに操作される。ＩＤキー２１２は、使用者のユーザＩＤを入力する時に用いられる。リセットキー２１１は、操作部２０１２からの設定を初期化する時に用いられる。
【００２７】
２１８は操作部２０１２に内蔵されている操作部位置情報発信センサで、このセンサ情報を各必要箇所に内蔵された操作部位置情報受信ユニットで受信を行い、端末の種別と端末の現在の位置情報を判断する。
【００２８】
図５は本実施例において、印刷中断処理が起き、その回復処理を行い印刷開始に復帰する際の動作を示したフローチャートである。
【００２９】
印刷処理装置の電源を入れると、起動処理（Ｓ２００１）のあと、一連の初期化処理が動作し（Ｓ２００２）、異常がなければ、印刷待機モード（Ｓ２００３）にて動作を待つようになる。このとき図４の操作部の印刷開始ボタン２１５を押下することにより印刷処理が行われる（Ｓ２００４）。印刷処理が正常終了したかの判断を行い（Ｓ２００５）正常終了をしたならばまた印刷待機中（Ｓ２００３）の処理に戻る。
【００３０】
上記の印刷終了にて印刷中断が起きた場合、その処理は操作部の操作で復旧可能かどうかを判断を行う（Ｓ２００６）。もし用紙切れだが、別なカセット段でも印刷再開が可能などの中断モードであれば、操作部において印刷再開の指示を行い印刷を再開させる（Ｓ２００７）。
【００３１】
上記の処理においてエラー内容を判断し（Ｓ２００８）フィニッシャ装置の用紙紙詰まりなど、手動で紙を取り除く必要があるような処理が起きた場合（Ｓ２００９）、操作部がエラーの個所と離れていた場合は、操作部移動指示表示処理において操作部を持った操作者をエラーのあった位置に移動させるような指示を操作部の画面に表示させる。操作部の位置がエラーの位置に移動するまでその指示を表示しつづける（Ｓ２０１０）。
【００３２】
操作部がエラーのあった位置に移動したと判断された場合、自動的に操作部にはフィニッシャのドアを開けるように指示を表示する。ドアのセンサを検知しておきドアが開けたことをセンサが感知し、エラー情報監視機能がそれを感知するまでドアを開ける表示を出しつづける（Ｓ２０１１）。
【００３３】
フィニッシャのドアを開けたことを感知したならば、自動的に搬送ユニットに詰まっている紙を取り除くように操作部画面に表示を行う。この場合も用紙センサの情報を監視しておき、紙つまりがなくなったのを感知するまでこの表示を出しつづける（Ｓ２０１２）。
【００３４】
フィニッシャでの一群の処理が終了し、フィニッシャ部分でのエラーがなくなったらほかの個所にもエラーがないかどうかをチェックを行う（Ｓ２０１３）。
【００３５】
もしほかにエラーがないようであれば、操作部より印刷再開指示（Ｓ２００７）を行って印刷動作を続けるようにする。
【００３６】
もしまだエラーがあった場合（たとえば用紙供給カセットにも紙詰まりが発生していたような場合）またエラー位置情報の取得を行い（Ｓ２００８）、その場所に移動するような指示を表示し、同じような一連の動作を行うようにする。
【００３７】
図６は図５の全体処理の中の「操作部をエラーのあった位置に移動する指示を表示（Ｓ２０１０）」の個所を詳細に明記したフローチャートである。
【００３８】
操作部位置判断処理（Ｓ２１０１）は装置各所に設けられた受信ユニットより操作部が現在どの位置にいるかの情報を受け取る。受け取った情報と、あらかじめエラーの情報を管理している図３のセンサ情報判断ユニット（３００２）で管理されているエラーの位置の比較を行い、同じ位置にあるかどうかのチェックを行う（Ｓ２１０２）。
【００３９】
もし同じ位置にあると判断された場合は操作部移動指示表示を終了しこのフローを終了する。
【００４０】
まだ違う位置にあると判断された場合は、引き続き「操作部を移動する指示を画面に表示する」処理をおこない（Ｓ２１０３）操作部位置情報判断処理にもどる。
【００４１】
図８は図６の中の操作部位置情報判断処理（Ｓ２１０１）の処理を明確に記述したフローチャートである。
【００４２】
図３のプリンタ部ブロック図に記載されている、各ユニットに内蔵された操作部位置情報センサ（３００９，３０１１，１０１３，３０１５）が、図４の操作部２０１２に内蔵されている操作部位置情報発信センサ（２１８）を検知しどのセンサに近いかを判断するための処理である。
【００４３】
まず各個所の位置情報受信装置からの情報をあつめる（Ｓ２３０１）。
【００４４】
この処理は、図３の操作部位置情報センサ（３００９，３０１１，１０１３，３０１５）が、個々に図４の操作部位置情報発信センサ（２１８）の発信情報受け取ろうと動作をおこない、「情報を受け取った」、「受け取らなかった」、「受け取った情報はどういったものであるのか」、などの情報があがっている。それらの情報より一番、操作部端末装置が近い位置情報発信センサの情報を蓄積する（Ｓ２３０２）。これは図３の位置情報判断（３００３）をあらわす。位置情報判断は集められた情報を判断し、操作部位置情報発信センサが一番どの位置情報センサに近いか（またはどれとも離れているか）、などの判断を行い、またその際に取得したセンサの情報も管理をし、信頼できる情報であるならば、その受信ユニットの位置に操作部端末があると確定する（Ｓ２３０３）。
【００４５】
もし、どの位置情報センサもデータを取得できなかった、取得した情報が許可されたものでない（たとえば別の印刷装置の端末でないかのチェックを行う）場合、再度、情報端末の位置を取得する処理に戻る。
【００４６】
図７は図５の手動で機器の操作を行うための判断処理（Ｓ２０１０〜Ｓ２０１２）を行うフローチャートである。
【００４７】
エラー情報取得処理（Ｓ２２０１）は各個所に設置されたエラーを識別するためのセンサ情報をまとめて処理し情報を蓄積する。その情報よりエラーがあるかどうかの判断をおこなう（Ｓ２２０２）。その判断によりエラーがある場合、蓄積されたエラー情報のうち一番優先度が高い項目を操作部の画面に表示、指示する（Ｓ２２０３）。それが表示が終了したらまたエラー情報の取得を行う。
【００４８】
最初に表示されていたエラー項目がなくなり、次のエラーがある場合は、Ｓ２２０３の処理にて次のエラーを操作部画面に表示、これを繰り返して、エラーがなくなるまでこの処理を続け、なくなったら終了する。
【００４９】
図９は、図７のエラー情報取得処理（Ｓ２２０１）を明確に記述したフローチャートである。
【００５０】
図３のプリンタ部ブロック図に記載されている、各ユニットに内蔵されたドアオープンセンサや、搬送部用紙残検出センサ、トナーなしセンサ、用紙なしセンサなど（３００８，３０１０，３０１２，３０１４）の情報をセンサ制御ブロック（３００２）に集められる（Ｓ２４０１）。集められた情報よりエラー項目があるかどうかを判断する（Ｓ２４０２）。判断の結果なにもエラーがなければエラーなし情報を蓄積して終了する（Ｓ２４０３）。
【００５１】
もしエラーがあった場合は、集まったエラーの内容を判断し、どのエラー回復処理から実行すればいいかを判断し、操作部画面にエラー復旧ガイダンス画面を表示する（Ｓ２４０４）、そのあとエラー情報を蓄積し、終了する。
【００５２】
以上のように、本実施例によれば、移動可能な操作部を用いて操作者がプリンタの近傍を移動しながらこの移動とプリンタの状況の変化（操作者による作業等に伴って変化する）に伴い逐次表示内容を変更しつつガイダンスされる操作部の表示内容を見て、プリンタのエラーからの回復作業を容易に行うことが可能となる。
【図面の簡単な説明】
【００５３】
【図１】本発明の実施形態における印刷処理装置の外観を示す図
【図２】本発明の実施形態における機能的な構成を示すブロック図
【図３】本発明の実施形態におけるプリンタ部分の機能構成を示すブロック図
【図４】本発明の実施形態における操作部装置の外観を示す図
【図５】本発明の実施形態における一連の処理手順を示すフローチャート図
【図６】本発明の実施形態における操作部位置情報取得表示処理を示すフローチャート図
【図７】本発明の実施形態におけるエラー情報取得表示処理を示すフローチャート図
【図８】本発明の実施形態における操作部位置判断を示すフローチャート図
【図９】本発明の実施形態におけるエラー情報収集判断処理を示すフローチャート図
【符号の説明】
【００５４】
１００１  画面操作部ユニット
１００２  大容量用紙デッキ
１００３  用紙カセットユニット
１００４  用紙搬送印刷ユニット
１００５  用紙排紙フィニッシャユニット
１００６  情報伝送装置
１００７  スキャナ部分
【図１】
2006231675.tif 000003
【図２】
2006231675.tif 000004
【図３】
2006231675.tif 000005
【図４】
2006231675.tif 000006
【図５】
2006231675.tif 000007
【図６】
2006231675.tif 000008
【図７】
2006231675.tif 000009
【図８】
2006231675.tif 000010
【図９】
2006231675.tif 000011